(57)【要約】【課題】１オーダー内において異なる出力先においてプリントされた場合でも、再プリント時における画像の画質と前回プリント時の画質との差を最小限とすることが可能な写真処理システムおよび写真処理プログラムを提供する。【解決手段】写真プリントシステム１では、所定のオーダに含まれる画像について各種画像処理条件等の設定を行う操作ステーション２と、上記画像処理条件に基づいて写真プリント処理を行う複数のプリントステーション等３〜５と、を含むように構成されている。操作ステーション２は、１オーダに含まれる各画像に対して出力された機器情報（出力機器ＩＤ）と画像処理条件とを関連付けして記憶するＨＤＤ２５を、制御装置２４内に設けている。【選択図】図７
2008304713.tif 000002
【特許請求の範囲】
【請求項１】
写真撮影されたコマ画像に対応するデジタル画像データに対して、所定の画像処理条件に基づいて処理を行う画像処理部と、
前記画像処理部において処理された前記デジタル画像データに基づいて、写真プリントを行う複数のデジタルプリント部と、
前記写真プリントを行った前記デジタルプリント部ごとの機器情報と、前記写真プリントを行った際の前記画像処理条件とを、１オーダ内において複数の前記デジタルプリント部に振り分けられた画像群ごとに関連付けて記憶される記憶部と、
を備えている写真処理システム。
【請求項２】
前記記憶部は、前記画像群の出力枚数情報をさらに記憶する、
請求項１に記載の写真処理システム。
【請求項３】
前記画像群は、単数の画像である、
請求項１または２に記載の写真処理システム。
【請求項４】
前記機器情報は、写真処理方法が異なる機種情報を含む、
請求項１から３のいずれか１項に記載の写真処理システム。
【請求項５】
前記画像処理部および前記デジタルプリント部を制御する制御部をさらに備えており、
前記制御部は、ユーザからの入力に応じて、前記記憶部に記憶された前記機器情報や前記画像処理条件に基づいてプリント処理を行うか否かを選択する、
請求項１から４のいずれか１項に記載の写真処理システム。
【請求項６】
写真撮影されたコマ画像に対応するデジタル画像データに対して、所定の画像処理条件に基づいて処理を行う第１のステップと、
前記画像処理部において処理された前記デジタル画像データに基づいて、複数のプリンタにおいて写真プリントを行う第２のステップと、
前記写真プリントを行った前記プリンタごとの機器情報と、前記写真プリントを行った際の前記画像処理条件とを、１オーダ内において複数の前記プリンタに振り分けられた画像群ごとに関連付けて記憶する第３のステップと、
を備えている写真処理プログラム。
【発明の詳細な説明】
【技術分野】
【０００１】
本発明は、デジタルカメラ等によって撮影されたデジタル画像を、各種プリンタを用いて印刷する写真処理システムおよび写真処理プログラムに関する。
【背景技術】
【０００２】
従来より、写真デジタルプリント（ＤＰ）システムでは、デジタルカメラ等によって撮影された写真のデジタル画像データは、記録メディア等に保存された状態、あるいはインターネット上においてＤＰショップに依頼されて現像される（同時プリント）。
このとき、顧客は同時プリントされたプリントの仕上がりを確認すると、再度、デジタル画像データに保存された記録メディア等をＤＰショップに持参したりインターネットでＤＰショップ等のＨＰへアクセスしたりして、焼き増しコマを指定して特定のコマ画像の焼き増しを注文する。
【０００３】
例えば、特許文献１には、同時プリントと焼き増しプリントとで生じる画像の差を極力少なくするために、デジタルプリント部に割り当てられた固有の機種ＩＤとプリント処理条件とを、オーダ単位で記憶している。
これにより、プリントを依頼したＤＰショップが、例えば、タイプの異なる複数のデジタルプリンタ（例えば、光変調されたレーザビーム露光方式、液晶シャッター方式、ＣＲＴ露光方式、そして蛍光ビーム露光方式等）を所有していた場合でも、同じ機種のデジタルプリンタおよびプリント処理条件を用いて、各オーダの写真のプリントを行っている。
【特許文献１】特開２０００−１８０９９１号公報（平成１２年６月３０日公開）
【発明の開示】
【発明が解決しようとする課題】
【０００４】
しかしながら、上記従来の写真処理システムでは、以下に示すような問題点を有している。
すなわち、上記公報に開示された写真処理システムでは、同時プリントと焼き増しプリントとで生じる画像の差を最小限にするために、固有の機種ＩＤとプリント処理条件とを各オーダ単位で割り当てている。このため、仮に、ＤＰショップ等において出力の効率を良くするために１オーダ内に含まれる複数の画像が、複数の機種によって出力された場合には、機種ＩＤが１オーダ単位でしか保存されていないことになる。この場合、１オーダ内において異なるプリンタによって出力された各画像群を、次の機会に再プリントする場合には、各画像群について同時プリントと再プリントとで画質差がないようにするための適切な処理を行うことができない。
【０００５】
本発明の課題は、１オーダ内において異なる出力先においてプリントされた場合でも、再プリント時における画像の画質と前回プリント時の画質との差を最小限とすることが可能な写真処理システムおよび写真処理プログラムを提供することにある。
【課題を解決するための手段】
【０００６】
第１の発明に係る写真処理システムは、画像処理部と、複数のデジタルプリント部と、記憶部と、を備えている。画像処理部は、写真撮影されたコマ画像に対応するデジタル画像データに対して、所定の画像処理条件に基づいて処理を行う。デジタルプリント部は、画像処理部において処理されたデジタル画像データに基づいて、写真プリントを行う。記憶部は、写真プリントを行ったデジタルプリント部ごとの機器情報と、写真プリントを行った際の画像処理条件とを、１オーダ内において複数のデジタルプリント部に振分けられた画像群ごとに関連付けて記憶される。
【０００７】
ここでは、例えば、写真処理のタイプが異なる複数のデジタルプリント部を含むように構成された写真処理システムにおいて、１オーダに含まれる複数の画像群に対して、過去に写真プリントを行ったデジタルプリント部の機器情報や画像処理条件を関連付けして記憶している。
ここで、上記複数のデジタルプリント部には、銀塩プリント式プリンタやインクジェット式プリンタ、昇華型プリンタ等のように写真処理のタイプが異なる複数のプリンタや、同じタイプのプリンタが複数含まれる場合も含まれる。また、上記１オーダに含まれる画像群とは、例えば、５０枚の画像データを含むオーダの中で、別々のプリンタによって過去にプリントされた２０枚の群と３０枚の群とが含まれる。あるいは、１枚の画像を１群として、機器情報および画像処理条件を記憶するようにしてもよい。さらに、上記機器情報には、写真処理のタイプの違いを示す機種の情報や、同じ写真処理のタイプであって異なる機器であることを示す各機器の情報も含まれる。
【０００８】
これにより、例えば、５０枚の画像データを含む１つのオーダについて、過去に複数の異なるプリンタに１０枚、１５枚、２５枚と振分けられて出力されていた場合でも、その振分けられた画像群ごとに、出力先（機器情報）やその出力時の画像処理条件を関連付けして記憶させることができる。この結果、以前プリントしたデジタルプリンタを次回も確実に使用してプリントを行うことができるため、最初にＤＰ店等に依頼して得たプリントと、次回依頼して得た焼き増しのプリントとで、画質等に大きな違いが生じてしまうことを容易に回避することができる。
【０００９】
第２の発明に係る写真処理システムは、第１の発明に係る写真処理システムであって、記憶部は、画像群の出力枚数情報をさらに記憶する。
ここでは、過去の出力先（機器情報）やその出力時の画像処理条件を関連付けして記憶している記憶部において、個々の画像処理群の出力枚数に関する情報をさらに記憶している。
【００１０】
これにより、過去に同じ画像を異なるデジタルプリンタに振分けて複数枚プリントしていたような場合でも、その画像群がそれぞれどのプリンタによって何枚ずつ出力されたのかを枚数情報として記憶することができる。この結果、次回の焼き増しプリント時等において、確実に前回使用されたプリンタのうちの少なくとも１つを用いて焼き増しのプリントを行うことができる。
【００１１】
第３の発明に係る写真処理システムは、第１または第２の発明に係る写真処理システムであって、画像群は、単数の画像である。
ここでは、過去の出力先（機器情報）やその出力時の画像処理条件が関連付けされる画像群として、１枚（単数）の画像を設定している。
これにより、以前、同じ出力先でプリントされた画像を１つの画像群として出力先や画像処理情報を関連付けしてまとめて記憶するのではなく、画像１枚単位で出力先や画像処理情報を関連付けして記憶することができる。この結果、例えば、記録メディア等の中の配置をユーザが変更してＤＰ店へ焼き増しプリントを依頼したような場合でも、画像１枚単位で出力先等の情報が記憶されているため、誤って前回と異なるプリンタによって出力してしまうことを防止することができる。
【００１２】
第４の発明に係る写真処理システムは、第１から第３の発明のいずれか１つに係る写真処理システムであって、機器情報は、写真処理方法が異なる機種情報を含む。
ここでは、例えば、銀塩式やインクジェット式、昇華型等のように、写真処理の方法が異なる複数のプリンタのそれぞれの機種情報を最低限の情報として記憶している。
これにより、写真処理方法が異なる複数のプリンタによって以前プリントされていた場合でも、少なくとも同じタイプのプリンタによって次回の処理を行うことができる。この結果、前回が銀塩処理によるプリンタで今回がインクジェットプリンタによってプリントされることで、画質に大きな差が生じてしまう不具合の発生を防止することができる。
【００１３】
第５の発明に係る写真処理システムは、第１から第４の発明のいずれか１つに係る写真処理システムであって、画像処理部およびデジタルプリント部を制御する制御部をさらに備えている。制御部は、ユーザからの入力に応じて、記憶部に記憶された機器情報や画像処理条件に基づいてプリント処理を行うか否かを選択する。
ここでは、画像処理やプリント処理を制御する制御部において、ユーザが振分け制御を今回のプリントにおいても反映させるか否かを選択可能としている。
【００１４】
これにより、例えば、処理能力を最優先させるために、必ずしも毎回同じ機種、プリンタによって出力する必要がない場合には、ユーザの選択によって振分け処理を実施しないようにすることもできる。この結果、以前使用していたプリンタが故障中であったり、新しい高機能なプリンタを導入したりした場合でも、エラーが発生することなく、円滑にプリント処理を行うことができる。
【００１５】
第６の発明に係る写真処理プログラムは、第１〜第３のステップを備えている。第１のステップでは、写真撮影されたコマ画像に対応するデジタル画像データに対して、所定の画像処理条件に基づいて処理を行う。第２のステップでは、画像処理部において処理されたデジタル画像データに基づいて、複数のプリンタにおいて写真プリントを行う。第３のステップでは、写真プリントを行ったプリンタごとの機器情報と、写真プリントを行った際の画像処理条件とを、１オーダ内において複数のプリンタに振分けられた画像群ごとに関連付けて記憶する。
【００１６】
ここでは、例えば、写真処理のタイプが異なる複数のデジタルプリント部を含むように構成された写真処理システムを制御する写真処理プログラムにおいて、１オーダに含まれる複数の画像群に対して、過去に写真プリントを行ったデジタルプリント部の機器情報や画像処理条件を関連付けして記憶させる。
ここで、上記第２のステップにおける写真プリントには、銀塩プリント式プリンタやインクジェット式プリンタ、昇華型プリンタ等のように写真処理のタイプが異なる複数のプリンタや、同じタイプのプリンタによる写真プリントも含まれる。また、上記１オーダに含まれる画像群とは、例えば、５０枚の画像データを含むオーダの中で、別々のプリンタによって過去にプリントされた２０枚の群と３０枚の群とが含まれる。あるいは、１枚の画像を１群として、機器情報および画像処理条件を記憶するようにしてもよい。さらに、上記機器情報には、写真処理のタイプの違いを示す機種の情報や、同じ写真処理のタイプであって異なる機器であることを示す各機器の情報も含まれる。
【００１７】
これにより、例えば、５０枚の画像データを含む１つのオーダについて、過去に複数の異なるプリンタに１０枚、１５枚、２５枚と振分けられて出力されていた場合でも、その振分けられた画像群ごとに、出力先（機器情報）やその出力時の画像処理条件を関連付けして記憶させることができる。この結果、以前プリントしたデジタルプリンタを次回も確実に使用してプリントを行うことができるため、最初にＤＰ店等に依頼して得たプリントと、次回依頼して得た焼き増しのプリントとで、画質等に大きな違いが生じてしまうことを容易に回避することができる。
【発明の効果】
【００１８】
第１の発明に係る写真処理システムによれば、１つのオーダについて、過去に複数の異なるプリンタに振分けられて出力されていた場合でも、最初に依頼して得たプリントと、次回依頼して得た再プリントとで、画質等に大きな違いが生じてしまうことを容易に回避することができる。
第２の発明に係る写真処理システムによれば、次回の焼き増しプリント時等において、確実に前回使用されたプリンタのうちの少なくとも１つを用いて焼き増しのプリントを行うことができる。
【００１９】
第３の発明に係る写真処理システムによれば、誤って前回と異なるプリンタによって出力してしまうことを防止することができる。
第４の発明に係る写真処理システムによれば、再プリントの画質に大きな差が生じてしまう不具合の発生を防止することができる。
第５の発明に係る写真処理システムによれば、以前使用していたプリンタが故障中であったり、新しい高機能なプリンタを導入したりした場合でも、エラーが発生することなく、円滑にプリント処理を行うことができる。
【００２０】
第６の発明に係る写真処理プログラムによれば、１つのオーダについて、過去に複数の異なるプリンタに振分けられて出力されていた場合でも、最初に依頼して得たプリントと、次回依頼して得た再プリントとで、画質等に大きな違いが生じてしまうことを容易に回避することができる。
【発明を実施するための最良の形態】
【００２１】
本発明の一実施形態に係る写真プリントシステム（写真処理システム）１について、図１〜図１０を用いて説明すれば以下の通りである。
［写真プリントシステム１全体の構成］
本発明の一実施形態に係る写真プリントシステム１は、図１に示すように、操作ステーション（画像処理部）２と、プリントステーション（デジタルプリント部）３と、プリントステーション（デジタルプリント部）４と、インクジェットステーション（デジタルプリント部）５と、を備えている。
【００２２】
操作ステーション２は、図１および図２に示すように、現像された写真フィルム２ａやデジタルカメラ等で撮影されたデジタル画像データが保存されたメモリカード２ｂ等のメディアから画像データを取り込んでプリントデータを作成し、ケーブル６ａ〜６ｃを介して接続された各ステーション３〜５に対して送信する。
プリントステーション３・４は、図１および図３に示すように、操作ステーション２から受信した画像データに基づいて、印画紙Ｐに対して露光処理および現像処理を行って写真プリントを行う。
【００２３】
インクジェットステーション５は、図１および図５に示すように、操作ステーション２から受信した画像データに基づいて、インクジェット用紙Ｉに対してインクを吹き付けてプリントを行う。
［操作ステーション２の構成］
操作ステーション２は、図２に示すように、デスク上に配置された、フィルムスキャナ２１と、メディアリーダ２２と、パソコン２３と、を有している。
【００２４】
フィルムスキャナ２１は、写真フィルム２ａに現像された撮影コマに対応する画像（以下、撮影コマ画像）をデジタル画像データとして取り込む。
メディアリーダ２２は、本写真プリントシステム１のコントローラとして機能するパソコン２３に搭載されており、デジタルカメラ等で撮影された撮影コマ画像のデジタルデータをメモリカード２ｂや各種半導体メモリ、ＣＤ−Ｒ等のメディアから取り込む。
【００２５】
パソコン２３は、モニタ２３ａと、キーボード２３ｂと、マウス２３ｃと、制御装置（制御部）２４（図７参照）と、を有しており、各ステーション３〜５におけるプリント処理を制御している。そして、パソコン２３は、フィルムスキャナ２１やメディアリーダ２２から取り込まれた複数のオーダに含まれる画像データを、それぞれのプリント条件（例えば、プリントサイズやプリント方法等）や処理効率等に基づいて、それぞれ各ステーション３〜５へ振分けるように送信する。
【００２６】
なお、パソコン２３は、画像処理端末としての機能も有しており、各ステーション３〜５に対して画像データを送信する前に必要な場合には、赤目補正等の画像処理を行ってから画像データを送信する。
制御装置２４は、図７に示すように、内部に、ＣＰＵ２４ａと、ＲＯＭ２４ｂやＲＡＭ２４ｃ、ＨＤＤ（記憶部）２５を含む記憶装置と、を有している。
【００２７】
ＣＰＵ２４ａは、キーボード２３ｂやマウス２３ｃを介してオペレータによって入力された指示に従って、ＲＯＭ２４ｂやＲＡＭ２４ｃ、ＨＤＤ２５等の記憶装置に格納されている各種の写真処理プログラムを読み込んで、各ステーション３，４，５において写真プリント処理を実行させる。
ＨＤＤ２５は、図７に示すように、内部に、１オーダに含まれる画像群の振分け情報ファイル（以下、振分け情報ファイルと示す。）２５ａ、画像処理条件および出力枚数情報ファイル（以下、画像処理条件等ファイルと示す。）２５ｂ、機器情報ファイル２５ｃが格納されている。
【００２８】
振分け情報ファイル２５ａは、１オーダに含まれる複数の画像のうち、所定の画像群がプリントステーション３，４，５のどれに振分けられて出力されたかの履歴情報を格納する。
画像処理条件等ファイル２５ｂは、１オーダに含まれる複数の画像のそれぞれについて、シェーディング補正や赤目補正等の各種画像処理条件に関する設定情報や、出力枚数の設定情報等を格納する。
【００２９】
機器情報ファイル２５ｃは、出力先として選定される各プリントステーション３，４，５に固有の機器ＩＤ等の機種情報を含む情報を格納する。
そして、これらの各ファイル２５ａ〜２５ｃは、図８に示すように、１オーダ内で振分けられた振分けＮｏ、出力機器ＩＤ，画像処理条件、出力枚数として、互いに関連付けされた状態でＨＤＤ２５内に記憶される。
【００３０】
ここで、オーダ１−Ａ等の振分けＮｏは、１オーダ内に含まれる複数の画像のうち、各機器（プリントステーション３，４，５）に振分けられた画像群に付された番号である。なお、オーダ１−Ａ〜オーダ１−Ｃは、１オーダ内において複数の出力機器に振分けられたことを意味する。また、オーダ１とオーダ２等とは、異なるオーダであることを意味している。図８の例では、オーダ１はＡ〜Ｃの３つの機器に振分けられ、オーダ２については、１つの機器によって全ての画像が出力されたことを意味している。
【００３１】
また、出力機器ＩＤは、各機器に固有のＩＤであって、このＩＤによってどの機器によって出力されたかが判別される。なお、出力機器ＩＤは、露光処理によって写真プリントを行うプリントステーション３，４か、インクジェット式の写真プリントを行うインクジェットステーション５かの判別だけでなく、同種のプリントステーション３，４の判別も可能になるように、各機器に割り振られたものである。図８の例では、オーダ１−Ａとオーダ２とが、同じ機器によって出力されたことを示しており、オーダ１−Ａとオーダ１−Ｂとは、例えば、同じ露光処理によるプリントを行う機種であるが、機器が異なることを示す。
【００３２】
画像処理条件は、各画像あるいは各画像群ごとに赤目補正等の画像処理条件が設定されているか否かに関する情報である。図８の例では、オーダ２についてのみ、赤目補正が行われたことを意味している。
出力枚数は、各画像群ごとに過去に出力された枚数に関する情報である。この出力枚数に関する情報は、１オーダに含まれる各画像群が異なる機器によって出力された場合には、さらにその機器の出力機器ＩＤも関連付けて記憶する。図８の例では、オーダ１−Ａについては各画像が１２枚、オーダ１−Ｂについては各画像が４枚出力されたことを意味している。なお、オーダ１−Ａに含まれる各画像を、異なる機器において出力した場合には、さらにその機器ごとの振分け情報を記憶するようにすればよい。
【００３３】
［プリントステーション３・４の構成］
プリントステーション３・４は、同一の機能および構造を有するプリント出力装置である。このため、ここでは、プリントステーション３だけを例に挙げてその内部構成について説明する。
プリントステーション３は、図４に示すように、内部に、２つの印画紙マガジン１１と、シートカッター１２と、バックプリント部１３と、プリント露光部１４と、処理槽ユニット１５と、コンベア１６と、ストックボックス１７（図３参照）と、印画紙搬送機構１８とを有している。
【００３４】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００３５】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。また、プリント露光部１４には、副走査方向に搬送される印画紙Ｐに対して主走査方向に沿ってＲＧＢの３色のレーザ光線を照射する図示しないライン露光ヘッドを有している。
【００３６】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００３７】
コンベア１６は、プリントステーション３の上部に露出しており、写真プリント画像が表面に形成されて乾燥処理後に排出された印画紙Ｐをストックボックス１７（図３参照）の方向へ搬送する。
ストックボックス１７（図３参照）は、プリントステーション３の前面側に配置されており、コンベア１６によって搬送される印画紙Ｐを受け止めて一時保管する。
【００３８】
印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。そして、印画紙搬送機構１８は、プリントステーション３の内部において、印画紙マガジン１１に収容されたロール状の印画紙Ｐを引き出すとともに、プリントサイズに切断された印画紙Ｐを所定の搬送速度で搬送する。
【００３９】
［インクジェットステーション５の構成］
インクジェットステーション５は、図５および図６に示すように、２つのマガジンセット部３０と、プリント部５０と、排出部８０と、を備えている。
マガジンセット部３０は、図５および図６に示すように、ロール状のインクジェット用紙Ｉを収納する部分であってプリンタ本体２９の下部に２つ配置されている。そして、マガジンセット部３０は、マガジン３１と、搬送機構３２と、を有している。
【００４０】
マガジン３１は、内部にロール状のインクジェット用紙Ｉを収容保持するように構成されている。そして、インクジェット用紙Ｉは、プリント面が外側となるように巻回されている。
搬送機構３２は、マガジン３１から適宜必要な量のインクジェット用紙Ｉを引き出してプリント部５０へ送り出す。
【００４１】
プリント部５０は、図５に示すように、プリンタ本体２９内の上部中央部に配置されており、インクジェット用紙Ｉに対して画像データのプリントを行い、所望の大きさにカットする。そして、プリント部５０は、図６に示すように、プリントヘッド５１と、ガイドレール５２と、駆動ベルト５３と、用紙保持部５５と、圧接搬送ローラ対５９と、圧接搬送ローラ対６０と、ループ形成ユニット６１と、カッターユニット６４と、反転ユニット６９とを有している。
【００４２】
プリントヘッド５１は、図示しない圧電素子等を変形させることで、インクジェット用紙Ｉに対してインクを吐出して画像を形成する。
ガイドレール５２は、プリントヘッド５１を幅方向に垂直な方向に案内する。
駆動ベルト５３は、プーリ５４に巻回されており、かつプリントヘッド５１をガイドレール５２に沿って往復移動させるために設けられている。
【００４３】
用紙保持部５５は、インクジェット用紙Ｉをプリントヘッド５１がプリントを行うことが可能な位置に吸着保持する。
圧接搬送ローラ対５９・６０は、この用紙保持部５５の搬送方向に対して上流側および下流側のそれぞれに幅方向に並設配置されている。
ループ形成ユニット６１は、圧接搬送ローラ対６０の下流側に配置されたガイド板６２と、このガイド板６２によって案内されたインクジェット用紙Ｉを搬送するための圧接搬送ローラ対６３を含むように構成されている。そして、ガイド板６２を、図６で示す２点鎖線で示した水平姿勢から実線で示した開放姿勢に切り換えることで、インクジェット用紙Ｉを垂れ下がった状態にしてループを形成することを可能としている。
【００４４】
カッターユニット６４は、固定刃６５と、可動刃６６と、反射型のセンサを有するカット位置センサ６７と、インクジェット用紙Ｉを送り出すための圧接搬送ローラ対６８とから構成されている。
反転ユニット６９は、インクジェット用紙Ｉを搬送する駆動ローラ７０と、この駆動ローラ７０とともにインクジェット用紙Ｉを圧接する従動ローラ７１と、これら駆動ローラ７０および従動ローラ７１からなる作動ローラ対７２の向きを変更する切換機構（図示せず）と、インクジェット用紙Ｉのプリント面側に設けられた回転自在のガイドローラ７３とを含んでいる。作動ローラ対７２は、送り込まれたインクジェット用紙Ｉを挟んだ状態で、切換機構によって図６に示す破線の位置に移動する。そして、作動ローラ対７２を反対に回転させることでインクジェット用紙Ｉの搬送方向の向きを変える。
【００４５】
排出部８０は、図５および図６に示すように、プリント部５０において画像が形成かつカットされたインクジェット用紙Ｉを排紙トレイ８２まで搬送する搬送経路および排出されたインクジェット用紙Ｉを受け止める部分である。そして、排出部８０は、複数の圧接搬送ローラ対８１と、排紙トレイ８２とを有している。
圧接搬送ローラ対８１は、対向する２つのローラ８１ａ・８１ｂとの間においてインクジェット用紙Ｉを圧接して搬送方向向きに搬送し、排紙トレイ８２へ送り出す。
【００４６】
排紙トレイ８２は、インクジェット用紙Ｉをインクジェットステーション５の外部へ排出するための排出口８３の近傍に配置されており、排出口８３から排出されたインクジェット用紙Ｉを受け止める。
＜最初のプリント時の処理＞
本実施形態では、上述した構成を有する写真プリントシステム１において、ユーザから所定のオーダに含まれる画像について、最初のプリント処理を開始するように指示があった場合には、図９に示すフローチャートに従ってプリント処理を行う。
【００４７】
すなわち、ステップＳ１では、出力指示があったオーダに含まれる複数の画像データを、操作ステーション２のメディアリーダ２２等において受け付ける。
ステップＳ２では、操作ステーション２において、キーボード２３ｂやマウス２３ｃを用いて、各画像を出力する際の画像処理条件や出力枚数が設定される。
ステップＳ３では、ステップＳ２において設定された各画像に対する画像処理条件や出力枚数に関する情報が、ＨＤＤ２５内に仮に記憶される。
【００４８】
ステップＳ４では、１オーダに含まれる複数の画像を、複数の機器（プリントステーション３，４，５）に振分けて出力するか、単一の機器を指定して出力するか、を決定する。ここで、単一の機器による出力が選択された場合には、ステップＳ５をスキップしてステップＳ６において指定された機器においてプリント処理が実行される。
一方、複数の機器による振分けプリント処理を希望した場合には、ステップＳ５において、振分けられる条件を設定する。なお、この振分け条件としては、現在稼動している機器の運転状況を考慮して、最も効率がよい処理を行うような条件等が考えられる。あるいは、特定の処理（例えば、インクジェット方式）を指定して、その機種だけで出力されるような条件であってもよい。
【００４９】
ステップＳ６では、画像処理条件や出力枚数、振分け条件の設定内容に基づいて、各機器において各画像のプリント処理が行われる。
ステップＳ７では、プリント処理が行われた複数の機器に振分けられた画像群ごとに、画像処理条件、出力枚数、出力機器ＩＤを関連付けした状態で、ＨＤＤ２５の所定の場所に記憶する。
【００５０】
＜再プリント時の処理＞
本実施形態では、上述したプリント処理に続いて、再度同じオーダに含まれる特定の画像を再プリントする際には、図１０に示すフローチャートに従って処理を行う。
すなわち、ステップＳ１１では、再プリントする画像を、再度、操作ステーション２のメディアリーダ２２等において受け付ける。
【００５１】
ステップＳ１２では、再プリントする画像について、出力枚数の設定を行う。
ステップＳ１３では、再プリントする画像について、出力履歴があるか否かを確認する。ここで、出力履歴がある場合にはステップＳ１４へ進む。一方、ＨＤＤ２５の不良等によって出力履歴が残されていない場合には、一旦、処理を終了し、例えば、図９に示すステップＳ１から最初のプリントとして処理を行う。
【００５２】
ステップＳ１４では、記憶されている出力履歴情報を参照して、再プリントを行うか否かを選択する。つまり、再プリントを以前処理した機器と確実に同じ機器で行うか、別の機器で行うことを許容するか否かを選択する。ここで、過去の出力履歴を用いた再プリントを希望する場合には、ステップＳ１５へ進む。一方、過去の出力履歴を用いないで再プリントすることを選択した場合には、一旦処理を終了して、例えば、図９に示すステップＳ１から最初のプリントとして処理を行う。
【００５３】
ステップＳ１５では、ＨＤＤ２５に格納されている出力履歴情報を読み出して、以前出力された際の情報を入手する。
ステップＳ１６では、履歴情報に含まれる過去の出力された機器や画像処理条件、出力枚数に関する情報に基づいて、履歴情報に残されたものと同じ機器、同じ画像処理条件を設定する。
【００５４】
ステップＳ１７では、ステップＳ１６において設定された処理条件に基づいて、再プリント処理を実施する。
本実施形態に係る写真プリントシステム１では、以上のような処理により、以前の出力履歴情報を参照して、１オーダに含まれる各画像ごとの再プリント処理を行う。
これにより、１オーダに含まれる複数の画像、あるいは画像群を、複数の機器に振分けて出力した履歴がある場合には、その画像等の再プリント処理については過去の出力時と同じ機器、同じ画像処理条件によって処理を行うことができる。
【００５５】
この結果、各画像ごとに、再プリントした結果、以前プリントした写真と画質や色合いが大きく異なるような結果となることを防止して、再プリント時における写真の品質を安定させることができる。
特に、写真プリントシステム１に含まれる複数の機器として、プリントステーション３，４とインクジェットステーション５とのように、写真処理の方式が大きく異なる機器を含む場合には、１回目のプリントと２回目以降のプリントとで異なる機器を用いて出力したのでは、画質や色合いに大きな差が生じ、クレームの要因となるおそれがある。
【００５６】
本実施形態では、このように写真処理方式の異なる複数の機器をシステム内に含む場合でも、１オーダ内において振分けられた各画像あるいは画像群ごとに、画像処理条件、出力機器ＩＤを関連付けして記憶しているため、確実に１回目のプリントと同じ機器を用いて出力することができる。
［本写真プリントシステム１の特徴］
（１）
本実施形態の写真プリントシステム１では、図１に示すように、所定のオーダに含まれる画像について各種画像処理条件等の設定を行う操作ステーション２と、上記画像処理条件に基づいて写真プリント処理を行う複数のプリントステーション等３〜５と、を含むように構成されている。そして、操作ステーション２は、図７に示すように、１オーダに含まれる各画像に対して出力された機器情報（出力機器ＩＤ）と画像処理条件とを関連付けして記憶するＨＤＤ２５を、制御装置２４内に設けている。
【００５７】
これにより、オーダ単位ではなく１オーダに含まれる単一の画像、複数の画像群を、異なる機器に振分けて出力を行った場合には、それらの振分けられた画像群ごとに出力機器情報と画像処理条件とを関連付けされた状態で記憶されているため、次回、これらの画像を再プリントする場合にはそれらの情報に基づいて、出力先や画像処理条件等を設定することができる。この結果、同じ写真プリント店内に、写真処理方式が異なる複数の機器（プリントステーション３，４とインクジェットステーション５等）が設けられている場合でも、１回目とそれ以降のプリントで、異なる機器によって出力された結果、画質や色合いが大きく異なる写真が出力されることを容易に回避することができる。
【００５８】
（２）
本実施形態の写真プリントシステム１では、図８に示すように、制御装置２４内の記憶装置（ＨＤＤ２５）内に、１オーダに含まれており複数の機器に振分けられて出力された画像群あるいは単一の画像に関連付けした状態で、出力枚数に関する情報も記憶している。
【００５９】
これにより、１オーダ内の同じ画像群等について複数の機器に振分けて出力された場合でも、これらの出力枚数ごとに出力機器ＩＤを合わせて記憶させることができる。この結果、出力枚数が多い場合に振分けられた出力先の中から、次回の出力先を設定してプリントすることで、２回目以降の出力によって画質や色合いが大きく異なる写真となることを効果的に回避することができる。
【００６０】
（３）
本実施形態の写真プリントシステム１では、図１に示すように、写真処理方式が異なる複数の機器（プリントステーション３，４およびインクジェットステーション５）を含むように構成されている。
これにより、最初のプリントと次回以降のプリントとが異なる写真処理方式の機器によって出力された結果、画質や色合いが大きく異なる写真となってしまうことを回避することができる。
【００６１】
（４）
本実施形態の写真プリントシステム１では、図１０に示すように、ステップＳ１４において、出力履歴情報を用いて再プリントを行うか否かを選択可能である。
これにより、以前のプリントと同条件で処理するよりも、処理効率等を優先させたいユーザ等において履歴情報に基づく再プリントを選択式とすることができる。この結果、同じ機種、画像処理条件での再プリントに固執したために、処理完了までに非常に長い時間がかかってしまうような不具合を回避することができる。そして、顧客の要望等に応じて必要な場合にのみ、過去の出力履歴を参照して臨機応変に所望の条件で再プリントを行うことができる。
【００６２】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、写真プリントシステム１は、デジタルプリント部として、プリントステーション３・４とインクジェットステーション５と、を備えている例を挙げて説明した。しかし、本発明はこれに限定されるものではない。
【００６３】
例えば、デジタルプリント部として、設定部（画像処理部）１０３ａおよびプリント部１０３ｂを含む昇華型プリンタ（デジタルプリント部）１０３（図１１参照）等の熱転写プリンタやＴシャツ等の衣類に対してプリントを行うプリント出力装置等を含む複数の機器を組み合わせて用いてもよい。
この場合にも、上記実施形態にかかる写真プリントシステム１と同様の効果を得ることができる。
【００６４】
（Ｂ）
上記実施形態では、１オーダに含まれる複数の画像群に対して、画像処理条件や出力機器情報等を関連付けした状態で記憶した例を挙げて説明した。しかし、本発明はこれに限定されるものではない。
例えば、１オーダ内の個々の画像１枚ずつについて、画像処理条件や出力機器情報等を関連付けして記憶させてもよい。この場合には、個々の画像の過去の画像処理条件や出力先を記憶することができるため、さらに容易に次回以降の出力条件等を設定することができる。
【００６５】
（Ｃ）
上記実施形態では、１オーダに含まれる各画像群ごとに関連付けされた画像処理条件や機器情報等を格納する記憶部として、制御装置２４内のＨＤＤ２５を用いた例を挙げて説明した。しかし、本発明はこれに限定されるものではない。
例えば、ＲＯＭやＲＡＭ等の他の記憶部を用いてもよい。
【００６６】
（Ｄ）
上記実施形態では、操作ステーション２に含まれるパソコン２３をプリント制御装置として用いた例を挙げて説明した。しかし、本発明はこれに限定されるものではない。
例えば、各ステーション３〜５の少なくとも１つに、プリント制御装置を設置してもよい。
【００６７】
この場合には、写真プリントシステム１の構成から操作ステーション２を排除できるため、システム全体として省スペース化を図ることができる。
（Ｅ）
上記実施形態では、写真プリントシステム１は、３台のプリント出力装置（プリントステーション３・４、インクジェットステーション５）によるプリント処理を、１台の操作ステーション２によって制御する例を挙げて説明した。しかし、本発明はこれに限定されるものではない。
【００６８】
例えば、２台あるいは４台以上のプリント出力装置を備えたプリントシステムのプリント処理を、操作ステーション２によって制御するように構成してもよい。
この場合にも、上記実施形態にかかる写真プリントシステム１と同様の効果を得ることができる。
（Ｆ）
上記実施形態では、本発明を写真処理システムとして特定した例を挙げて説明した。しかし、本発明はこれに限定されるものではない。
【００６９】
例えば、図９および図１０に示すフローチャートに従って処理を行う写真処理プログラムとして、本発明を特定することも可能である。
この場合でも、本発明に係る写真処理プログラムによって、１オーダ内において複数の装置によってプリント出力された場合でも、以前出力されたプリントと再プリントとで画質等に大きな違いが生じてしまうことを容易に回避することができるという、上記と同様の効果を得ることができる。
【産業上の利用可能性】
【００７０】
本発明の写真処理システムは、１オーダ内において複数の装置によってプリント出力された場合でも、以前出力されたプリントと再プリントとで画質等に大きな違いが生じてしまうことを容易に回避することができるという効果を奏することから、複数の写真処理装置によってプリント処理を行う写真プリントシステム等に対して広く適用可能である。
【図面の簡単な説明】
【００７１】
【図１】本発明の一実施形態に係る写真プリントシステムの構成を示す外観図。
【図２】図１の写真プリントシステムに含まれる操作ステーションの構成を示す斜視図。
【図３】図１の写真プリントシステムに含まれるプリントステーションの構成を示す斜視図。
【図４】図３のプリンステーションの内部構成を示す断面図。
【図５】図１の写真プリントシステムに含まれるインクジェットステーションを示す斜視図。
【図６】図５のインクジェットステーションの内部構成を示す断面図。
【図７】図２の操作ステーションの内部に設けられた制御装置の構成を示すブロック図。
【図８】図７の制御装置に含まれるＨＤＤ内に格納される関連付けされた各データの内容を示すテーブル。
【図９】図１の写真プリントシステムにおいて処理される最初の写真プリント時の流れを示すフローチャート。
【図１０】図１の写真プリントシステムにおいて処理される再プリント時の流れを示すフローチャート。
【図１１】本発明の他の実施形態に係る写真処理システムに含まれる昇華型プリンタの外観構成を示す斜視図。
【符号の説明】
【００７２】
１      写真プリントシステム（写真処理システム）
２      操作ステーション（画像処理部）
２ａ    写真フィルム
２ｂ    メモリカード
３      プリントステーション（デジタルプリント部）
４      プリントステーション（デジタルプリント部）
５      インクジェットステーション（デジタルプリント部）
６ａ〜６ｃ  ケーブル
１１      印画紙マガジン
１２      シートカッター
１３      バックプリント部
１４      プリント露光部
１５      処理槽ユニット
１５ａ    発色現像槽
１５ｂ    漂白定着槽
１５ｃ    安定処理槽
１６      コンベア
１７      ストックボックス
１８      印画搬送機構
１８ａ    チャッカー式搬送ユニット
１８ｂ    挟持搬送ローラ対
２１      フィルムスキャナ
２２      メディアリーダ
２３      パソコン
２３ａ    モニタ
２３ｂ    キーボード
２３ｃ    マウス
２４      制御装置（制御部）
２４ａ    ＣＰＵ
２４ｂ    ＲＯＭ
２４ｃ    ＲＡＭ
２５      ＨＤＤ（記憶部）
２５ａ    振分け情報ファイル
２５ｂ    画像処理条件および出力枚数情報ファイル
２５ｃ    機器情報ファイル
２９      プリンタ本体
３０      マガジンセット部
３１      マガジン
３２      搬送機構
５０      プリント部
５１      プリントヘッド
５２      ガイドレール
５３      駆動ベルト
５４      プーリ
５５      用紙保持部
５９，６０  圧接搬送ローラ対
６１      ループ形成ユニット
６２      ガイド板
６３      圧接搬送ローラ対
６４      カッターユニット
６５      固定刃
６６      可動刃
６７      カット位置センサ
６８      圧接搬送ローラ対
６９      反転ユニット
７０      駆動ローラ
７１      従動ローラ
７２      作動ローラ対
７３      ガイドローラ
８０      排出部
８１      圧接搬送ローラ対
８１ａ    ローラ
８１ｂ    ローラ
８２      排紙トレイ
８３      排出口
１０３    昇華型プリンタ（デジタルプリント部）
１０３ａ  設定部（画像処理部）
１０３ｂ  プリント部
Ｓ      ステップ
【図１】
2008304713.tif 000003
【図２】
2008304713.tif 000004
【図３】
2008304713.tif 000005
【図４】
2008304713.tif 000006
【図５】
2008304713.tif 000007
【図６】
2008304713.tif 000008
【図７】
2008304713.tif 000009
【図８】
2008304713.tif 000010
【図９】
2008304713.tif 000011
【図１０】
2008304713.tif 000012
【図１１】
2008304713.tif 000013